(57)【要約】【課題】表示桁大きくコスト高。表示値グループの切替え前後の関連がない。【解決手段】測定した生体情報を時刻情報と対応させて記憶するメモリを有する生体情報測定装置において、時刻情報に基づいて所定期間ごとに生体情報から、予め定められた演算により演算値を算出する演算装置と、生体情報と演算値とを切り替えていずれか一方を表示する表示部を有し、生体情報を表示している状態から切り替えると、表示していた生体情報を含む所定期間に対応する演算値を表示し、演算値を表示している状態から切り替えると、表示していた演算値に対応する所定期間に含まれる生体情報を表示する。操作者は切り替え後に改めて切り替え前の表示値に関連する表示値を検索する必要がない。表示桁が少ないのでコスト高にならない。【選択図】    図２
2004298320.tif 000002
【特許請求の範囲】
【請求項１】
測定した生体情報を時刻情報と対応させて記憶するメモリを有する生体情報測定装置において、前記時刻情報に基づいて所定期間ごとに前記生体情報から、予め定められた演算により演算値を算出する演算装置と、前記生体情報と演算値とを切り替えていずれか一方を表示する表示部を有し、前記生体情報を表示している状態から切り替えると、前記表示していた生体情報を含む前記所定期間に対応する演算値を表示し、前記演算値を表示している状態から切り替えると、前記表示していた演算値に対応する前記所定期間に含まれる前記生体情報を表示することを特徴とする生体情報測定装置。
【請求項２】
前記演算値を表示している状態から切り替えることにより表示される生体情報は、前記所定期間に含まれる生体情報の中で最も新しい時刻情報と対応させて記憶された生体情報であることを特徴とする請求項１に記載の生体情報測定装置。
【請求項３】
前記演算値を表示している状態から切り替えることにより前記生体情報を表示してから、所定の順番で順次他の生体情報を表示させる操作スイッチを有することを特徴とする請求項１または２のいずれかに記載の生体情報測定装置。
【請求項４】
前記演算値を表示している状態で前記操作スイッチを操作することにより、前記生体情報の表示に切り替わることを特徴とする請求項３に記載の生体情報測定装置。
【発明の詳細な説明】
【０００１】
【発明の属する技術分野】
本発明は、電子血圧計、電子体温計、電子体重計、体脂肪計などの生体情報測定装置に関するものである。
【０００２】
【従来の技術】
従来の電子血圧計はアナログ式、デジタル式を問わず今回測定限りの血圧値を知るのみで、長期データを知りたい場合は、測定者がいちいち測定値をノート等に記録しておかなければならず大変不便であった。そこで、時刻情報と対応させて測定値を記憶し、必要な時にグラフ化されたデータを表示して、長期の血圧管理に有効な電子血圧計が開発されている。（例えば、特許文献１、特許文献２参照）
【０００３】
【特許文献１】
特開昭６０−１４８５４３号公報（第３〜４頁、第３図、第４図）
【特許文献２】
特開昭６１−１９３６４３号公報（第５〜６頁、第４図）
【０００４】
上記した特許文献１に開示されている電子血圧計は、血圧測定手段によって測定された血圧値を記憶保存する記憶手段と、この記憶されている血圧値を第１の所定期間毎の代表値が時系列的に、第１の所定期間よりも長い第２の所定期間分表示される二次元表示手段と、操作毎に少なくとも第２の所定期間のレンジを変更する手動操作手段とを備えている。図３に示すように、今月を１２月とし、１１ヶ月前を１月とし、血圧値を縦軸にとり、各月の代表値を最低血圧から最高血圧の帯状グラフで表示している。また、図４に示すように、測定者がもし年間のデータを詳しく見たいときは、メモリから指定した月と、その１ヶ月前の月の２ヶ月間の日データを帯状グラフで表示している。
【０００５】
また、特許文献２に開示されている電子血圧計は、血圧測定手段によって得られた血圧データ及び入力手段から入力された時刻データを対応させて記憶する記憶手段と、入力手段で指定された時間間隔毎に記憶手段からの血圧データを演算してグラフ化し、かつ入力手段で指定された時間間隔の所定の血圧データを読み出す演算手段と、グラフ化された演算結果と所定の血圧データを表示する表示手段を備えている。第４図に示すように、第４図（チ）は、日別推移グラフで、過去３０日分の最高血圧値、最低血圧値を棒グラフ、脈拍数を折れ線グラフにして表示する。１日分のデータが複数の場合は平均化する。また、指定された日のデータ数も表示する。また、第４図（リ）は、月別推移グラフで、１ヶ月分のデータを平均化し過去１２ヶ月分のデータを表示する。
【０００６】
このように、特許文献１，２に記載されている技術では、日又は月などの下位グループデータと、これらの下位グループデータより期間の長い、月又は年などの上位グループデータとを、そのグループ全体のデータを切り替えて表示している。
【０００７】
【発明が解決しようとする課題】
しかしながら、上記した電子血圧計には次のような問題点がある。すなわち、上位グループデータの全部又は下位グループデータの全部を切り替えて表示するため、表示容量の大きな表示装置を必要とし、コスト高であり、大型のものとなってしまっていた。
【０００８】
一方、表示容量を小さくした場合には、下位グループデータの一部と、上位グループデータの一部とを切り替えて表示すればよいわけであるが、この場合、切替後のデータがどのデータであるかを操作者が認識するのが難しいという欠点があった。また、切替後のデータがあるデータに固定されている場合には、切替前のデータと相互に関連するデータを見たいときには、改めて検索しなければならず、操作回数が不必要に多くなり、操作しずらいという欠点があった。
【０００９】
本発明は、上記従来の課題に鑑みなされたものであり、その目的は、表示桁の少ない表示装置を用いて複数の表示値グループを切り替えてその表示値グループ内の１データを表示する場合であっても、切り替え前に表示していた表示値と関連する表示値を改めて検索する必要がない生体情報測定装置を提供するものである。
【００１０】
【課題を解決するための手段】
上記目的を達成するために、本発明における生体情報測定装置は、測定した生体情報を時刻情報と対応させて記憶するメモリを有する生体情報測定装置において、前記時刻情報に基づいて所定期間ごとに前記生体情報から、予め定められた演算により演算値を算出する演算装置と、前記生体情報と演算値とを切り替えていずれか一方を表示する表示部を有し、前記生体情報を表示している状態から切り替えると、前記表示していた生体情報を含む前記所定期間に対応する演算値を表示し、前記演算値を表示している状態から切り替えると、前記表示していた演算値に対応する前記所定期間に含まれる前記生体情報を表示することを特徴とするものである。
【００１１】
【発明の実施の形態】
以下、本発明について詳細に説明する。図１は、本発明の実施の形態に係わる血圧計の外観を示す斜視図である。図１において、１１は血圧計、１２は血圧計本体、７は血圧計本体１２の上面に設けられた表示部、１は血圧計本体１２の下面に取り付けられた手首用のカフである。６は血圧計本体１２の上面に配設された操作手段である５個のスイッチよりなるスイッチ群で、６ａは電源スイッチ、６ｂは時刻修正に用いるセレクトスイッチ、６ｃは時刻設定に用いるセットスイッチ、６ｄは平均値の呼び出しに用いる平均値スイッチ、６ｅはメモリ呼び出しに用いるメモリスイッチである。
【００１２】
図２は図１に示した血圧計の機能的な構成を示すブロック図である。図２に示すように、血圧計は、被験者の手首に圧力を加え血管を締め付ける帯袋であるカフ１と、加圧手段であるポンプ３と、急速排気手段である排気弁４と、カフ圧検出手段である圧力センサ５と、前記ポンプ３、排気弁４、圧力センサ５を接続するチューブ２と、操作手段であるスイッチ群６と、制御手段であるマイコン８と、表示手段である表示部７とを備えている。ポンプ３は前記カフ１に加圧空気を供給してカフ圧を高める。排気弁４はカフ１内の空気を抜いて急速にカフ圧を低下させる開閉手段などである。圧力センサ５はカフ１内の圧力を検出し、電気信号に変換する。マイコン８はスイッチ群６及び圧力センサ５からの入力を受けて動作し、ポンプ３、排気弁４及び表示部７を制御する。
【００１３】
マイコン８は図示しないＣＰＵ及びＲＯＭ、ＲＡＭ等の記憶手段を有するとともに、順次上段から下段に直列に接続される脈波検出部８１と、脈波検出部８１の下に同列に分岐して接続される最高／最低血圧演算部８２と、脈拍数演算部８３を有している。前記最高／最低血圧演算部８２と脈拍数演算部８３の生体情報を時刻計時部８４からの時刻情報と対応させて記憶するメモリ８５を有し、前記メモリ８５から、最高血圧、最低血圧、脈拍数を呼び出し、データの総和をデータ数で割り算して平均値を算出する平均値演算部８６を有している。この平均値演算部８６で算出された平均値はメモリ８５に記憶される。
【００１４】
図３は、メモリ８５を説明するための模式図である。図３（ａ）は前記時刻情報と対応する最高血圧、最低血及び脈拍数の個々のデータを、メモリＮｏ．９０からメモリＮｏ．１までの９０個分を記憶する測定値記憶部８５ａである。例えば、測定が行われると、メモリＮｏ．９０に測定時刻，測定値として、３月３０日午前１１時１５分、最高血圧１３０、最低血圧８４、脈拍数７５が記憶され、それまで記憶していたＮｏ．９０〜Ｎｏ．２のデータがＮｏ．８９〜Ｎｏ．１に１つづつずらして記憶されとともに、最も古いＮｏ．１のデータがメモリから自動的に消去される。
【００１５】
図３（ｂ）は月毎の平均値のデータを最新の月から１２ヶ月分を記憶する演算値記憶部８５ｂである。最高血圧、最低血圧及び脈拍数のデータの総和、データ数及び平均値を記憶する。例えば、２００３年３月１日〜２００３年３月２９日までに６１回の測定が行われており、６２回目の測定を２００３年３月３０日に行うと、平均値演算部８６は、演算値記憶部８５ｂから３月のそれまでの最高血圧，最低血圧脈拍数のデータの総和，データ数，平均値を呼び出し、各データ数に１を加えるとともに、各データの総和に今回の測定値を加算し、演算後の各データ数と各データの総和を、それまでの３月のデータに上書きする。そして、上書きされたデータから、演算値として平均値を演算して、算出した平均値をそれまでの３月のデータに上書きする。例えば、最高血圧では、データ総和７８７４、データ数６２より平均値１２７、最低血圧では、データ総和４８９８、データ数６２より平均値７９、脈拍数では、データ総和４２７８、データ数６２より平均値６９を記憶する。
【００１６】
図４は、表示状態を示す操作フローチャートである。図４において、Ｓ１は電源ＯＦＦの状態で、Ｓ２は電源ＳＷ６ａをＯＮ（▲１▼ａ）した状態を示し、Ｓ３に示すように、ポンプ３が動作してカフ１に加圧空気を供給して加圧を開始する。その際に表示部７には、カフ圧が表示される。（Ｓ３の例では３６ｍｍＨｇが表示されている。）Ｓ４は脈波検出した状態である。脈波検出すると、脈波検出圧力が表示される。（Ｓ４の例では６４ｍｍＨｇが表示されている。）カフ１の加圧中に、検出された脈波に基づいて最高血圧値，最低血圧値，脈拍数が決定される。測定が終了すると測定毎に時刻情報とともに最高血圧、最低血圧、脈拍数が記憶され表示部７に表示される。Ｓ５は３月３１日、Ｓ６は午後３時６分を示し、ともに最高血圧１２６、最低血圧８３、脈拍数６７で、Ｓ５とＳ６とが交互に表示される。前述したように、測定した個々のデータは最新データとしてメモリに書き込まれ平均値が更新される。
【００１７】
次に、２つの表示値グループである測定値グループと平均値グループ内の個々の測定値，平均値の呼び出し操作とそのときの表示について説明する。メモリＳＷ６ｅによって、メモリ８５の測定値記憶部８５ａに記憶されている個々の生体情報を時刻情報とともに呼び出すことができる。メモリＳＷ６ｅを押すと（▲２▼ａ）Ｓ１０に示すように、最新のデータである、例えばメモリＮｏ．９０、即ち９０番目のデータであることを１秒間表示した後、自動的にＳ１１とＳ１２の交互表示に切り替わる。Ｓ１１では月日（３月３０日）、Ｓ１２では時間（午前１１時１５分）とともに、最高血圧１３０、最低血圧８４、脈拍数７５が表示される。Ｓ１１とＳ１２は例えば２秒間隔で交互に表示される。この交互表示またはメモリＮｏ．９０の表示のときに、もう一度メモリＳＷ６ｅを押すと（▲２▼ｂ）、次に新しいデータであるメモリＮｏ．８９（Ｓ１３）即ち８９番目のデータが表示される。図示の例では、メモリＮｏ．８９を例えば１秒間表した後、３月２９日午後１２時０２分の測定値として、最高血圧１２８、最低血圧７８、脈拍数７１が表示されている。Ｓ１４（日時表示）とＳ１５（時間表示）とは交互に表示される。以下同様にメモリＳＷ６ｅを押す（▲２▼ｃ）ことにより測定値が順番に表示される。図示しないが、最も古い測定値であるＮｏ．１の測定値が表示されているときにメモリＳＷ６ｅを押すと、最も新しい測定値であるＮｏ．９０の測定値が表示される。
【００１８】
一方、平均値ＳＷ６ｄによってメモリ８５の演算値記憶部８５ｂに記憶されている各月の平均値を呼び出すことができる。即ち、平均値ＳＷ６ｄを押すと（▲３▼ａ）、当月のデータである、例えば３月の平均値を表示する。Ｓ２０に示すように、Ａ．３（３月の平均値）として、最高血圧１２７、最低血圧７９、脈拍数６９を表示する。もう一度平均値ＳＷ６ｄを押すと（▲３▼ｂ）、Ｓ２１に示すように、２月の平均値、即ち最高血圧１３１、最低血圧８２、脈拍数７０を表示する。以下、同様に平均値ＳＷ６ｄを押すと（▲３▼ｃ）順次前の月の平均値を表示するものである。図示しないが、最も古い月である４月の平均値が表示されているときに平均値ＳＷ６ｄを押すと、最新の平均値である３月の平均値の表示に戻る。
【００１９】
本発明の特徴とするところは、例えば、現在、Ｓ２０に示すように、３月の平均値を表示している状態で、メモリＳＷ６ｅを押すと（▲３▼ｅ）、メモリＮｏ．９０、即ち３月の中の最新のデータが表示される。また、Ｓ２１に示す２月の平均値を表示している状態で、メモリＳＷ６ｅを押すと（▲３▼ｄ）、同様に２月の中の一番新しいデータが表示される。
【００２０】
また、逆に、個々の測定値を表示しているときに、平均値ＳＷ６ｅを押すと（▲３▼ｆ）、その日に対応する月の平均値のデータが表示される。例えば、Ｓ１３のメモリＮｏ．８９のデータでＳ１４かＳ１５（３月２９日の測定値）を表示しているときに、平均値ＳＷ６ｅを押すと、３月分の平均値を表示することができる。
【００２１】
次に、セレクトＳＷ６ｂは時刻修正の際に使用される。Ｓ１の電源ＯＦＦの状態からセレクトＳＷ６ｂを押すと（▲４▼ａ）、Ｓ３０の年修正表示になる。表示面がフラッシングして２００３年を示し、この状態でセットＳＷ６ｂを押すごとに年を示す数値が１づつ加えられ、設定すべき年の数値が表示されたらセレクトＳＷ６ｂを押して（▲４▼ｂ）Ｓ３１の月修正表示にする。この状態で、セットＳＷ６ｃを用いて月を修正する。以下、順次セレクトＳＷ６ｂを押して（▲４▼ｃ〜▲４▼ｅ）、セットＳＷ６ｃを用いてＳ３１で月修正、Ｓ３２で日修正、Ｓ３３で時修正、Ｓ３４で分修正を行う。測定終了後に電源ＯＦＦ状態以外で電源ＳＷ６ａを押したときは、電源ＯＦＦの状態に戻る。
【００２２】
上記したように、本実施の形態では、測定した個々の９０個の生体情報を時間情報と対応させてメモリに記憶させると同時に、平均値情報を１２ヶ月分対応させてメモリに記憶させ、表示桁の少ない表示部に、生体情報を表示している状態で、平均値ＳＷ６ｄを押すことによる切り替え操作により、その生体情報を含む所定期間（１ヶ月）に対応する平均値を表示する。また、平均値を表示している状態でメモリＳＷを押すことり、その月の最新の個々の生体情報を表示するものである。
【００２３】
このように、本実施の形態によれば、血圧計の使用者が、平均値を表示させてから、その平均期間内の個々のデータを見たい場合に、メモリＳＷ６ｅにより個々の測定値の表示に切り替えたときに、表示していた平均値（例えば図４、Ｓ２１の２月の平均値表示）に対応する測定値（２月の最新の測定値）を表示させるため、表示していた月の平均値に対応する個々の測定値を改めて呼び出す操作をする必要がない。また、切り替わった測定値が、全測定値のうちのどの期間にある測定値なのかも容易に認識できる。
【００２４】
しかも、平均値の表示から測定値の表示に切り替えたときに、対応する測定値として、平均期間内の最新の測定値を表示させるため、通常、このような生体情報測定装置で求められることが多い各期間内の最新の情報をすぐに見ることができる。
【００２５】
また、個々の測定値の表示から平均値の表示に切り替える場合も、切り替える前に表示していた測定値（例えば２月の測定値）に対応する平均値（２月の平均値）を表示させることで、表示していた測定値に対応する平均値をあらためて呼び出す操作をする必要がなくなるし、１２ヶ月分の平均値のうちのどの平均値が表示されたのかも容易に認識できる。
【００２６】
また、例えば、メモリ８５の測定値記憶部８５ｂに９０個分の測定値を記憶できる場合、１日１回血圧測定を行うと、３ヶ月間の測定値を記憶することができる。この９０個の測定値のうちの古い日付の測定値を表示させる場合に、メモリＳＷ６ｅのみで測定値を１個づつ順次表示させたのでは、何十回もメモリＳＷ６ｅを押さなければならず、表示させるまでに時間がかかってしまう。
【００２７】
これに対し、図４に示した実施形態のように、表示していた平均値に対応する測定値を表示させるようにすると、平均値ＳＷ６ｄにより平均値を順次表示していき、表示させたい日付の測定値（例えば１月１０日の測定値）が含まれる月の平均値（例えば１月の平均値）が表示されたところでメモリＳＷ６ｅを押すと、少ない操作回数で、表示させたい日付の測定値と同じ月の最新の測定値（例えば１月３１日）を表示させることができる。そして、さらにそこからメモリＳＷ６ｅを押して測定値を順次表示させる（１月１０日を呼び出す）ことで、少ない操作回数で簡単に古い日付の測定値を表示させることができる。
【００２８】
また、平均値の表示から、その平均期間内の個々の測定値の表示に切り替えるスイッチと、個々の測定値を順次表示させるスイッチとを共通（メモリＳＷ６ｅ）にしたため、平均値の表示から個々の測定値の表示に切り替えた後に、同じスイッチでその平均期間内の表示させたい測定値を呼び出すことができ、操作が簡単である。同様に、個々の測定値の表示から、平均値の表示に切り替えるスイッチと、各月の平均値を順次表示させるスイッチとを共通（平均値スイッチＳＷ６ｄ）にしたため、個々の測定値の表示から平均値の表示に切り替えた後に、この切り替えに用いたスイッチをそのまま操作すれば、各月の平均値を順次表示させることができ、操作性が良い。すなわち、平均値の表示と個々の測定値の表示とを切り替えるスイッチを、個々の測定値を順次表示させるスイッチや、各月の平均値を順次表示させるスイッチと共通化することで、操作性が良くなる。
【００２９】
本実施の形態は電子血圧計で説明したが、電子血圧計に限るものではなく、電子体温計、電子体重計及び体脂肪計などの生体情報測定装置に適応するものである。また、平均値演算部８６の代わりに他の演算値を算出する演算部を設けても良い。例えば、１ヶ月ごとの標準偏差値を算出し、それを表示しても良い。また、１ヶ月ごとの平均値を算出したが、１週間，１０日，あるいは半年ごとの平均値や標準偏差値を算出するようにしてもよい。
【００３０】
【発明の効果】
以上述べたように、本発明によれば、表示桁の少ない表示装置を用いて、２つの表示値グループを切り替えてその表示値グループ内の１データを表示する場合であっても、その切り替えられて表示された表示値が、切り替えられる前に表示されていた表示値と、所定の関係を持っているので、操作者は切り替え後に改めて切り替え前の表示値に関連する表示値を検索する必要がない。また、表示桁が少ないので、安価な生体情報測定装置を提供することが可能である。
【図面の簡単な説明】
【図１】本発明の実施の形態に係わる血圧計の外観を示す斜視図である。
【図２】図１に示す血圧計の機能的構成を示すブロック図である。
【図３】図２のメモリを説明するための模式図である。
【図４】図１に示す血圧計の操作と表示状態を示す操作フローチャートである。
【符号の説明】
１  カフ
２  チューブ
３  ポンプ
４  排気弁
５  圧力センサ
６  スイッチ群
６ａ  電源スイッチ
６ｂ  セレクトスイッチ
６ｃ  セットスイッチ
６ｄ  平均値スイッチ
６ｅ  メモリスイッチ
７  表示部
８  マイコン
１１  血圧計
１２  血圧計本体
８１  脈波検出部
８２  最高／最低血圧演算部
８３  脈拍数演算部
８４  時刻計時部
８５  メモリ
８６  平均値演算部
【図１】
2004298320.tif 000003
【図２】
2004298320.tif 000004
【図３】
2004298320.tif 000005
【図４】
2004298320.tif 000006